【事件の表示】
　特願２０１２−２７６８７６「音響映像コンテンツを処理する方法及び対応する装置」拒絶査定不服審判事件〔平成２５年　６月２７日出願公開、特開２０１３−１２８２８４〕について、次のとおり審決する。
【結　論】
　本件審判の請求は、成り立たない。
【理　由】
第１　手続の経緯
　本願は、平成２４年１２月１９日（パリ条約による優先権主張２０１１年１２月１９日、フランス）の出願であって、その手続の経緯は、以下のとおりである。
　平成２７年１２月２１日：手続補正書の提出
　平成２８年１１月２１日：拒絶理由通知書
　平成２９年　５月２２日：意見書、手続補正書の提出
　平成２９年１０月３０日：拒絶査定
　平成２９年１１月　２日：拒絶査定の謄本の送達
　平成３０年　３月　２日：審判請求書の提出
　平成３０年　３月　６日：手続補正書（審判請求書の請求の理由）の提出
第２　本願発明
　本願の請求項１ないし８に係る発明は、平成２９年５月２２日にされた手続補正により補正された特許請求の範囲の請求項１ないし８に記載された事項により特定されるものと認められるところ、その請求項６に係る発明（以下、「本願発明」という。）は、以下のとおりのものである。
　なお、Ａ〜Ｅについては、説明のために当審にて付したものである。（以下、「構成Ａ」〜「構成Ｅ」という。）
（本願発明）
「Ａ　複数の音響映像セグメントを含む音響映像コンテンツのための再生装置であって、前記音響映像セグメントの各々は、関連付けられた時間間隔中に表示されるように意図される、再生装置であって、
　Ｂ　前記音響映像コンテンツ及び前記音響映像コンテンツに関連付けられ且つ前記音響映像コンテンツに同期された音響説明信号の取得手段であって、前記音響説明信号は、前記音響映像コンテンツ中に現れるイベントを説明する音響説明データと呼ばれるデータを含む、取得手段を含み、
　Ａ　前記再生装置はまた、
　Ｃ　前記音響映像セグメントの中で、センシティブなセグメント基準と呼ばれる予め定められた基準に対応する少なくとも１つの音響映像セグメントを検出する手段と、
　Ｄ　前記音響映像コンテンツにおける前記センシティブなセグメント基準を満たす前記音響映像セグメントを削除する手段と、
　Ｅ　前記センシティブなセグメント基準を満たす前記少なくとも１つの音響映像セグメントを除いて音響映像セグメントを再生し、かつ前記センシティブなセグメント基準を満たす前記少なくとも１つの音響映像セグメントの表示のために意図された前記時間間隔中に、前記音響説明信号の音響データを再生する手段と、
　Ａ　を含む、前記再生装置。」
第３　原査定の拒絶の理由
　原査定の拒絶の理由は、次のとおりのものである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項：１−８
・引用文献等：１−２
＜引用文献等一覧＞
１.特開２００４−３２６１２号公報
２.特開２００１−９４８９７号公報（周知技術を示す文献）
第４　引用文献について
（１）引用文献１について
（ア）引用文献１の記載事項
　原審の拒絶査定に、引用文献１として引用された、特開２００４−３２６１２号公報には、「デジタルバーサタイルディスク再生装置および記録媒体再生装置」（発明の名称）として図面とともに以下の事項が記載されている。
　なお、下線は、説明のために当審にて付したものである。
【００１１】
そこで、
本発明は、ユーザのストーリの内容理解を損なうことなく、
必要最低限の部分だけに視聴制限を課すことができるＤＶＤ再生装置
を提供することを目的とする。
【００１８】
（構成）
図１は、本実施の形態に係わるＤＶＤ再生装置の構成を示す機能ブロック図である。同図に示すように、
ＤＶＤ再生装置１００は、
表示部１０４と、
ＤＶＤ１０７とから構成される。
【００２０】
ＤＶＤ１０７は、映像データ、音声データ、副映像データを記憶する。
Ｃｅｌｌは、データの再生単位であり、
１個のＰＧＣ（Ｐｒｏｇｒａｍ　Ｃｈａｉｎ）内での再生順にセル番号が定義されている。
【００２１】
Ｃｅｌｌは、１個以上のＶＯＢＵ（Ｖｉｄｅｏ　Ｏｂｊｅｃｔ　Ｕｎｉｔ）で構成される。１個のＶＯＢＵは、ＧＯＰ（Ｇｒｏｕｐ　Ｏｆ　Ｐｉｃｔｕｒｅ）整数個分の映像データ、音声データ、副映像データがパック化されて、
【００２２】
また、
１以上の連続するＣｅｌｌをまとめたものが、１つのＰＧ（Ｐｒｏｇｒａｍ）となる。ＰＧは、ランダム、シャッフル再生の単位となる。１以上の連続するＰＧをまとめたものが、１つのＰＴＴ（Ｐａｒｔ　ｏｆ　Ｔｉｔｌｅ）となる。ＰＴＴは、チャプターに相当する。１以上の連続するＰＴＴをまとめたものが、１つのＰＧＣとなる。
１タイトルが１つのＰＧＣとなる。
【００２３】
ディスクドライブ１０６は、ＤＶＤ１０７を駆動する。
表示部１０４は、たとえば、テレビで構成され、
メニュー画面、映像データ、音声データ、副映像データなどが出力されて
【００２４】
記憶部１０３は、
視聴制限ブロック記憶部１１６と、視聴制限情報記憶部１１７とを含む。
【００２５】
パスワード情報記憶部１１５は、ユーザごとのパスワードを記憶する。本実施の形態では、ユーザ＜Ａ＞〜ユーザ＜Ｄ＞のパスワードが登録されているものとする。
ユーザ＜Ａ＞は、ＤＶＤ再生装置１００の管理者とし、このユーザ＜Ａ＞だけが、視聴制限設定
が行なえるものとする。
【００２７】
視聴制限情報記憶部１１７は、視聴制限設定部１１２で設定された視聴制限情報を記憶する。図４（ａ）は、視聴制限情報の例を示す。同図に示すように、視聴制限情報は、ＤＶＤの媒体番号と、ブロック番号と、ブロックの開始点のＰＧＣおよびＣｅｌｌ番号と、ブロックの終了点のＰＧＣおよびＣｅｌｌ番号と、ユーザを特定するユーザＩＤと、制限を課した再生方法を特定する再生方法ＩＤとからなる。図４（ｂ）は、再生方法ＩＤに対する再生方法を示す。同図において、
音声ミュートとは、音声の再生を中止することを意味し、
副映像再生とは、映像再生の代わりに副映像（サブピクチャ）を表示することを意味し、副映像再生＆音声ミュートとは、副映像再生と音声ミュートとを同時に行なうことを意味し、
【００２８】
制御部１０２は、
視聴制限ブロック設定部１１１と、視聴制限設定部１１２と、
再生制御部１１４とを含む。
【００３６】
再生制御部１１４は、視聴制限ブロック以外では、デコード部１０５に通常の再生を行なわせる。つまり、再生制御部１１４は、映像デコード部１１８に映像データをデコードさせ、音声デコード部１１９に音声データをデコードさせる。
【００３７】
再生制御部１１４は、再生フレームが視聴制限ブロックの開始点に達したら、その視聴制限ブロックに設定されている制限を課した再生方法に応じた再生を行なわせる。
再生制御部１１４は、再生方法が音声ミュートの場合には、
音声データのデコードを中止させる。
再生制御部１１４は、再生方法が副映像表示の場合には、
映像データのデコードを中止させ、
副映像データをデコードさせる。
【００３８】
再生制御部１１４は、
視聴制限ブロックの終了点に達したら、
通常の再生を行なわせ、
【００４７】
通常の再生中に、
ユーザ＜Ａ＞が
視聴制限ブロックの開始の指示を入力すると、視聴制限ブロック設定部１１１が、指示が入力された時点の再生フレームのＰＧＣとＣｅｌｌ番号とを視聴制限開始ブロックの開始点として視聴制限ブロック記憶部１１６に記憶する
【００４８】
さらに、通常の再生が続行され、通常の再生中に、
ユーザ＜Ａ＞が
視聴制限ブロックの終了の指示を入力すると、視聴制限ブロック設定部１１１が、指示が入力された時点の再生フレームのＰＧＣとＣｅｌｌ番号とを視聴制限開始ブロックの終了点として視聴制限ブロック記憶部１１６に記憶する
【００５１】
ユーザ＜Ａ＞が、選択された視聴制限ブロックについて、
制限を課した再生方法とを入力すると、視聴制限設定部１１２は、
視聴制限情報を作成し、視聴制限情報記憶部１１７に記憶する
【００５５】
再生制御部１１４は、まず、デコード部１０５に通常の再生を行なわせる。つまり、映像デコード部１１８に映像データをデコードさせ、音声デコード部１１９に音声データをデコードさせる（ステップＳ４０２）。
【００５６】
再生制御部１１４は、
再生フレームが視聴制限ブロックの開始点に達したら
その視聴制限ブロックに設定されている制限を課した再生方法に応じた再生を行なわせる。
【００５７】
つまり、
再生制御部１１４は、再生方法が音声ミュートの場合には、
音声データのデコードを中止させて、音声ミュートを行なう
【００５８】
また、
再生制御部１１４は、再生方法が副映像表示の場合には、
映像データのデコードを中止させ、
副映像を表示させる
【００５９】
また、
再生制御部１１４は、
再生方法が副映像表示＆音声ミュートであれば、これらを同時に行なう。
【００６０】
再生制御部１１４は、
視聴制限ブロックの終了点に達したら、
通常の再生を行なわせる
【００７５】
【発明の効果】
この発明に係わるデジタルバーサタイルディスク再生装置および記録媒体再生装置によれば、データの再生単位であるセルを少なくとも１つ含んだ視聴制限ブロックが設定されるので、
タイトルやチャプターの単位ではなく、わいせつなシーンや暴力的なシーンなど必要最低限の部分だけに視聴制限を課すことができる。
（イ）引用発明
　上記記載、並びにこの分野における技術常識を考慮し、引用文献１に記載される発明を以下に検討する。
（ａ）段落００１８、００２０、００２３の記載から、引用文献１には、ＤＶＤ１０７に記憶された映像データ、音声データ、副映像データなどを出力するＤＶＤ再生装置１００が記載されている。
　そして、段落００２４、００２８の記載から、引用文献１のＤＶＤ再生装置１００は、視聴制限ブロック設定部１１１と、視聴制限設定部１１２と、再生制御部１１４とを含む制御部１０２と、視聴制限ブロック記憶部１１６と、視聴制限情報記憶部１１７とを含む記憶部１０３とから構成されている。
　また、段落００２０〜００２２の記載から、ＤＶＤ１０７におけるＣｅｌｌは、データの再生単位であり、１個以上のＶＯＢＵで構成され、１個のＶＯＢＵは、ＧＯＰ整数個分の映像データ、音声データ、副映像データがパック化されており、１以上の連続するＣｅｌｌをまとめたものが１つのＰＧ（ランダム、シャッフル再生の単位）となり、１以上の連続するＰＧをまとめたものが１つのＰＴＴ（チャプター）となり、１以上の連続するＰＴＴをまとめたものが１つのＰＧＣ（タイトル）となり、１個のＰＧＣ内での再生順にセル番号が定義されている。
（ｂ）段落００２５、００４７、００４８、００７５の記載から、引用文献１の視聴制限ブロック設定部１１１は、タイトルやチャプターの単位ではなく、わいせつなシーンや暴力的なシーンなど必要最低限の部分だけに視聴制限を課すために、ＤＶＤ再生装置１００の管理者であるユーザ＜Ａ＞が、視聴制限ブロックの開始及び終了の指示を入力すると、指示が入力された時点の再生フレームのＰＧＣとＣｅｌｌ番号とを視聴制限ブロックの開始点及び終了点として視聴制限ブロック記憶部に記憶することが記載されている。
　また、段落００５１の記載から、引用文献１の視聴制限設定部１１２は、視聴制限ブロックについて、制限を課した再生方法を入力すると、視聴制限情報を作成し、視聴制限情報記憶部に記憶することが記載されている。
　なお、段落００４７、００４８には、「視聴制限開始ブロックの開始点として視聴制限ブロック記憶部１１６に記憶する（ステップＳ２０２）。」、「視聴制限開始ブロックの終了点として視聴制限ブロック記憶部１１６に記憶する（ステップＳ２０３、Ｓ２０４）。」と記載されているが、図６には「視聴制限ブロックの開始点として記録」（Ｓ２０２）、「視聴制限ブロックの終了点として記録」（Ｓ２０４）と記載され、段落００４７、段落００４８の当該記載の前に「視聴制限ブロックの開始の指示を入力すると、」、「視聴制限ブロックの終了の指示を入力すると、」と記載されていることから、「視聴制限開始ブロック」は「視聴制限ブロック」の誤記である。
（ｃ）段落００２７、００３７、００３８、００５６〜００６０の記載から、引用文献１の再生制御部１１４は、再生方法が副映像表示＆音声ミュートの場合には、再生フレームが視聴制限ブロックの開始点に達したら、音声データと映像データのデコードを中止し、副映像データを表示し、視聴制限ブロックの終了点に達したら、通常の再生を行うことが記載されている。
（ｄ）上記（ａ）〜（ｃ）より、引用文献１には、以下の発明（以下、「引用発明」という。）が開示されている。
　なお、ａ〜ｃについては、説明のために当審にて付したものである。
 （以下、「構成ａ」〜「構成ｃ」という。）
（引用発明）
「ａ　ＤＶＤに記憶された映像データ、音声データ、副映像データなどを出力するＤＶＤ再生装置であって、前記ＤＶＤ再生装置は、視聴制限ブロック設定部と視聴制限設定部と再生制御部とを含む制御部と、視聴制限ブロック記憶部と視聴制限情報記憶部とを含む記憶部とから構成され、ＤＶＤにおけるＣｅｌｌは、データの再生単位であり、１個以上のＶＯＢＵで構成され、１個のＶＯＢＵは、ＧＯＰ整数個分の映像データ、音声データ、副映像データがパック化されており、１以上の連続するＣｅｌｌをまとめたものが１つのＰＧ（ランダム、シャッフル再生の単位）となり、１以上の連続するＰＧをまとめたものが１つのＰＴＴ（チャプター）となり、１以上の連続するＰＴＴをまとめたものが１つのＰＧＣ（タイトル）となり、１個のＰＧＣ内での再生順にセル番号が定義され、
　ｂ　前記視聴制限ブロック設定部は、タイトルやチャプターの単位ではなく、わいせつなシーンや暴力的なシーンなど必要最低限の部分だけに視聴制限を課すために、ＤＶＤ再生装置の管理者であるユーザ＜Ａ＞が、視聴制限ブロックの開始及び終了の指示を入力すると、指示が入力された時点の再生フレームのＰＧＣとＣｅｌｌ番号とを視聴制限ブロックの開始点及び終了点として前記視聴制限ブロック記憶部に記憶し、
　前記視聴制限設定部は、視聴制限ブロックについて、制限を課した再生方法を入力すると、視聴制限情報を作成し、前記視聴制限情報記憶部に記憶し、
　ｃ　前記再生制御部は、再生方法が副映像表示＆音声ミュートの場合には、再生フレームが視聴制限ブロックの開始点に達したら、音声データと映像データのデコードを中止し、副映像データを表示し、視聴制限ブロックの終了点に達したら、通常の再生を行う
　ａ　ＤＶＤ再生装置。」
（２）引用文献２について
（ア）引用文献２の記載事項
　原審の拒絶査定に、引用文献２として引用された、特開２００１−９４８９７号公報には、「車載用デジタルテレビ放送受信装置」（発明の名称）として図面とともに以下の事項が記載されている。
　なお、下線は、説明のために当審にて付したものである。
【０００３】最近のテレビ放送は、その多くが多重音声で放送されており、番組の内容に応じて、ステレオ放送、二カ国語放送、
主／副音声放送
が放送されている。
【０００４】特に、
主／副音声を有する番組は、画像を見ることのできない弱視の人のための解説音声を放送している場合が殆どである。
【０００７】
【発明が解決しようとする課題】しかしながら、受信装置では、車載用に搭載された場合は、前述の通り、走行中の安全性を確保するために運転者の注意を奪うことの無いように、画面表示を行わない構成をとることが必要であり、一般のテレビ放送は画像と音声により情報を提供するものであるため、
音声のみの放送では十分な情報を得られないという問題があった。
【０００８】上記の問題は、
受信している番組が副音声を有する多重放送である場合は、当該副音声を再生音声に選択することで放送されている番組についての十分な情報を得ることが可能である
【０００９】本発明の目的は、上記の課題に鑑み、デジタルテレビ放送で放送されている番組とともに送信されている番組情報に織り込まれた情報を判別することで、受信中の番組が多重音声で放送され、
主／副音声を有する放送の場合、
画面非表示の状態においては、再生音声として副音声のみを選択して再生するようにする
（イ）引用文献２技術
　上記（ア）より、引用文献２には、「デジタルテレビ受信装置において、主／副音声を有する番組は、画像を見ることのできない弱視の人のための解説音声を放送している場合が殆どであり、画面非表示の状態においては、音声のみの放送では十分な情報を得られないという問題があるため、再生音声として副音声である画像を見ることのできない弱視の人のための解説音声を選択して再生する技術。」（以下、「引用文献２技術」という。）が記載されている。
第５　本願発明と引用発明の対比と、一致点・相違点の認定
（１）対比
（ａ）本願発明の構成Ａと引用発明の構成ａとの対比
　構成ａにおける「Ｃｅｌｌ」は、「１個以上のＶＯＢＵで構成され、１個のＶＯＢＵは、ＧＯＰ整数個分の映像データ、音声データ、副映像データがパック化されて」おり、「Ｃｅｌｌをまとめたものが」最終的に「１つのＰＧＣ（タイトル）」となることから、ＣｅｌｌやＰＧＣ（タイトル）は、映像データ、音声データを含むものであり、ＰＧＣ（タイトル）は複数のＣｅｌｌを含むものである。
　そうすると、構成ａの「Ｃｅｌｌ」と「ＰＧＣ（タイトル）」は、それぞれ『映像データ、音声データを含むＣｅｌｌ』と『複数のＣｅｌｌを含み、映像データ、音声データを含むＰＧＣ（タイトル）』であるといえるので、構成ａの「Ｃｅｌｌ」と「ＰＧＣ（タイトル）」は、それぞれ、構成Ａの「音響映像セグメント」と「音響映像コンテンツ」に相当する。
　また、構成ａの「ＤＶＤ再生装置」は、ＤＶＤ内の『複数のＣｅｌｌを含み、映像データ、音声データを含むＰＧＣ（タイトル）』を再生するための装置であるといえるから、構成Ａの「複数の音響映像セグメントを含む音響映像コンテンツのための再生装置」に相当する。
　さらに、構成ａは、「１個のＰＧＣ内での再生順にセル番号が定義され」ていることから、Ｃｅｌｌの映像データの各々は、ＤＶＤ再生装置で再生される際に決められた順に再生される、すなわち、決められた時間に表示されるものといえ、引用発明は、構成Ａの「前記音響映像セグメントの各々は、関連付けられた時間間隔中に表示されるように意図される」構成を有するものである。
　したがって、構成ａの「ＤＶＤ再生装置」は、構成Ａの「複数の音響映像セグメントを含む音響映像コンテンツのための再生装置であって、前記音響映像セグメントの各々は、関連付けられた時間間隔中に表示されるように意図される、再生装置」に相当する。
（ｂ）本願発明の構成Ｂと引用発明の構成ａ、ｃとの対比
　構成ａの「ＤＶＤ再生装置」は、「ＤＶＤに記憶された映像データ、音声データ、副映像データなどを出力する」ものであり、出力するために、映像データ及び副映像データをＤＶＤから取得する取得手段を有しているといえる。
　また、構成ａより「映像データ、音声データ、副映像データがパック化されており」、構成ｃより「音声データと映像データのデコードを中止し、副映像データを表示」するものであるから、副映像データは、映像データと関連付けられており同期されている信号といえる。
　そうすると、引用発明と構成Ｂは、「前記音響映像コンテンツ及び前記音響映像コンテンツに関連付けられ且つ前記音響映像コンテンツに同期された信号の取得手段」を含む点で共通する。
　しかし、「前記音響映像コンテンツに関連付けられ且つ前記音響映像コンテンツに同期された信号」に関して、引用発明は、副映像データであるのに対し、本願発明は、音響説明信号であり、音響説明信号は、前記音響映像コンテンツ中に現れるイベントを説明する音響説明データと呼ばれるデータを含むものである点で相違する。
（ｃ）本願発明の構成Ｃと引用発明の構成ｂとの対比
　引用発明の「視聴制限ブロック設定部」は、構成ｂより「わいせつなシーンや暴力的なシーンなど必要最低限の部分だけに視聴制限を課すために、ＤＶＤ再生装置の管理者であるユーザ＜Ａ＞が、視聴制限ブロックの開始及び終了の指示を入力すると、指示が入力された時点の再生フレームのＰＧＣとＣｅｌｌ番号とを視聴制限ブロックの開始点及び終了点として視聴制限ブロック記憶部に記憶」するものである。
　ここで、視聴制限ブロックは、予め管理者が定めたわいせつなシーンや暴力的なシーンを含んだ１又は複数のＣｅｌｌであり、管理者が検出しているといえるので、引用発明の「視聴制限ブロック設定部」は、構成Ｃの「前記音響映像セグメントの中で、センシティブなセグメント基準と呼ばれる予め定められた基準に対応する少なくとも１つの音響映像セグメントを検出する手段」に相当する。
（ｄ）本願発明の構成Ｄ、Ｅと引用発明の構成ｃとの対比
　引用発明の「再生制御部」は、構成ｃより「再生フレームが視聴制限ブロックの開始点に達したら、音声データと映像データのデコードを中止」するものであり、視聴制限ブロックを削除するものといえるので、引用発明の「再生制御部」は、構成Ｄの「前記音響映像コンテンツにおける前記センシティブなセグメント基準を満たす前記音響映像セグメントを削除する手段」に相当する。
　また、引用発明の「再生制御部」は、構成ｃより「再生フレームが視聴制限ブロックの開始点に達したら、音声データと映像データのデコードを中止し、」「視聴制限ブロックの終了点に達したら、通常の再生を行う」ものであるから、引用発明の「再生制御部」は、構成Ｅの「前記センシティブなセグメント基準を満たす前記少なくとも１つの音響映像セグメントを除いて音響映像セグメントを再生」する手段に相当する。
　さらに、引用発明の「再生制御部」は、構成ｃより「再生フレームが視聴制限ブロックの開始点に達したら、音声データと映像データのデコードを中止し、副映像データを表示」するものであるから、引用発明の「再生制御部」と、構成Ｅの「前記センシティブなセグメント基準を満たす前記少なくとも１つの音響映像セグメントの表示のために意図された前記時間間隔中に、前記音響説明信号の音響データを再生する」手段とは、「前記センシティブなセグメント基準を満たす前記少なくとも１つの音響映像セグメントの表示のために意図された前記時間間隔中に、前記信号のデータを再生する」手段である点で共通する。
　以上より、引用発明の「再生制御部」と、本願発明の構成Ｄ、Ｅは、「前記音響映像コンテンツにおける前記センシティブなセグメント基準を満たす前記音響映像セグメントを削除する手段と、前記センシティブなセグメント基準を満たす前記少なくとも１つの音響映像セグメントを除いて音響映像セグメントを再生し、かつ前記センシティブなセグメント基準を満たす前記少なくとも１つの音響映像セグメントの表示のために意図された前記時間間隔中に、前記信号のデータを再生する手段」である点で共通する。
　しかし、「前記センシティブなセグメント基準を満たす前記少なくとも１つの音響映像セグメントの表示のために意図された前記時間間隔中に」再生するデータに関して、引用発明は、副映像データであるのに対し、本願発明は、音響説明信号の音響データである点で相違する。
（２）一致点・相違点
　以上をまとめると、本願発明と引用発明は、以下の点で一致ないし相違する。
（一致点）
「Ａ　複数の音響映像セグメントを含む音響映像コンテンツのための再生装置であって、前記音響映像セグメントの各々は、関連付けられた時間間隔中に表示されるように意図される、再生装置であって、
　Ｂ’前記音響映像コンテンツ及び前記音響映像コンテンツに関連付けられ且つ前記音響映像コンテンツに同期された信号の取得手段を含み、
　Ａ　前記再生装置はまた、
　Ｃ　前記音響映像セグメントの中で、センシティブなセグメント基準と呼ばれる予め定められた基準に対応する少なくとも１つの音響映像セグメントを検出する手段と、
　Ｄ　前記音響映像コンテンツにおける前記センシティブなセグメント基準を満たす前記音響映像セグメントを削除する手段と、
　Ｅ’前記センシティブなセグメント基準を満たす前記少なくとも１つの音響映像セグメントを除いて音響映像セグメントを再生し、かつ前記センシティブなセグメント基準を満たす前記少なくとも１つの音響映像セグメントの表示のために意図された前記時間間隔中に、前記信号のデータを再生する手段と、
　Ａ　を含む、前記再生装置。」　
（相違点）
　「前記音響映像コンテンツに関連付けられ且つ前記音響映像コンテンツに同期された信号」に関して、本願発明は、音響説明信号であり、音響説明信号は、前記音響映像コンテンツ中に現れるイベントを説明する音響説明データと呼ばれるデータを含むものであるのに対し、引用発明は、副映像データであり、そのことに起因して、「前記センシティブなセグメント基準を満たす前記少なくとも１つの音響映像セグメントの表示のために意図された前記時間間隔中に」再生するデータに関して、本願発明は、音響説明信号の音響データであるのに対し、引用発明は、副映像データである点。
第６　判断
　引用発明の目的は、段落００１１に記載されているように、ユーザのストーリの内容理解を損なうことなく、必要最低限の部分だけに視聴制限を課すことができるＤＶＤ再生装置を提供することである。すなわち、視聴制限を課す際に、内容理解を損なわないようにするために、必要最小限の部分だけにするというものである。
　ここで、画面非表示の状態において、内容理解を損なわないようにする場合に、引用文献２技術に接した当業者であれば、引用発明において、映像データと副映像データがパック化、すなわち同期されており、音声データと映像データのデコードを中止した場合に、副映像データを表示することに代えて、画像を見ることのできない弱視の人のための解説音声、すなわち、本願発明のように、音響映像コンテンツ中に現れるイベントを説明する音響説明データと呼ばれるデータを含む音響説明信号を同期させ、音響データを再生するように構成することは、容易に想到し得ることである。
　したがって、相違点については、格別のものではなく、また、本願発明が奏する効果は、その容易想到である構成から当業者が容易に予測し得る範囲内のものであり、同範囲を超える顕著なものでもない。
第７　むすび
　以上のとおり、本願発明は、引用文献１に記載された発明及び引用文献２技術に基づいて、当業者が容易に発明をすることができたものであるから、特許法第２９条第２項の規定により特許を受けることができない。
　したがって、他の請求項に係る発明について検討するまでもなく、本願は拒絶されるべきものである。
　よって、結論のとおり審決する。